(57)【要約】      （修正有）【課題】工事不要で設置でき、作業性が良好で安価に運用可能な自立移動設置型監視カメラ装置を提供する。【解決手段】監視カメラ装置１は、フレーム構造体２０と、太陽光を受光して発電するソーラーパネル３０と、点灯条件を検知して点灯可能なセンサライト４０と、撮影及び録画可能な監視カメラ５０と、ソーラーパネルの電力を充電してセンサライト及び監視カメラへ電源を供給する蓄電池とを具備し、ソーラーパネル、センサライト、監視カメラ及び蓄電池をフレーム構造体に装着して一体化してなる装置ユニット１０と、設置面に載置される架台に一対の支柱７２を立設してなる支柱架台ユニット７０と、を備える。装置ユニット１０は、フレーム構造体が支柱架台ユニットの一対の支柱に着脱自在に支持されている。【選択図】図５
0003228355.tif 000002
【実用新案登録請求の範囲】
【請求項１】
構造体と、太陽光を受光して発電するソーラーパネルと、点灯条件の成立を検知して点灯可能なセンサライトと、撮影及び録画可能な監視カメラと、前記ソーラーパネルの電力を充電して前記センサライト及び前記監視カメラへ電源を供給する蓄電池とを具備し、前記ソーラーパネル、前記センサライト、前記監視カメラ及び前記蓄電池を前記構造体に装着して一体化してなる装置ユニットと、
設置面に載置される架台に支柱を立設してなる支柱架台ユニットと、
を備え、
前記装置ユニットは、前記構造体において前記支柱架台ユニットの前記支柱に着脱自在に支持されている、自立移動設置型監視カメラ装置。
【請求項２】
前記構造体の下端部と前記支柱の上端部とに跨って配置されて前記構造体と前記支柱とを着脱自在に連結する連結部材を備える、請求項１に記載の自立移動設置型監視カメラ装置。
【請求項３】
前記構造体は、上下方向に延びて下端に開口する構造体溝部を有し、
前記支柱は、上下方向に延びて上端に開口する支柱溝部を有し、
前記構造体と前記支柱とは、前記構造体溝部と前記支柱溝部とが連通するように位置決めされ、
前記連結部材は、連結板と、前記連結板が前記構造体溝部内と前記支柱溝部内とに跨って挿入配置された状態で前記構造体と前記支柱とにそれぞれ固定する固定部材とを備える、請求項２に記載の自立移動設置型監視カメラ装置。
【請求項４】
前記装置ユニットは、前記ソーラーパネルが前記構造体に対して着脱自在に装着される、請求項１乃至３の何れか一項に記載の自立移動設置型監視カメラ装置。
【請求項５】
前記構造体は、所定の間隔を隔てて垂直に配置される一対の主フレームと、前記一対の主フレーム間で水平に架け渡される少なくとも一つの副フレームとを備えて構成され、
前記一対の主フレームは、前記支柱架台ユニットの前記支柱に着脱自在に支持され、
前記副フレームは、前記ソーラーパネル、前記センサライト、前記監視カメラ及び前記蓄電池が装着される、請求項１乃至４の何れか一項に記載の自立移動設置型監視カメラ装置。
【請求項６】
前記装置ユニットは、前記センサライトの作動を可能とするライト点灯運用と、前記センサライトの作動を不可とするライト消灯運用とを切換えるための運用切換えスイッチを備える、請求項１乃至５の何れか一項に記載の自立移動設置型監視カメラ装置。
【請求項７】
前記監視カメラは、レンズ部を有するカメラ本体と、前記レンズ部を露出させつつ前記カメラ本体を内部に収容すると共に施錠可能なカメラケースと、を備え、
前記運用切換えスイッチは、前記カメラケースの内部に配置される、請求項６に記載の自立移動設置型監視カメラ装置。
【考案の詳細な説明】
【技術分野】
【０００１】
本考案は、防犯等の用途で用いられる自立移動設置型監視カメラ装置に関する。
【背景技術】
【０００２】
従来、防犯等の用途で用いられる監視カメラ装置は主としてカメラ本体が建物等に固定設置される定置方式が採用されていた。近年は、不法投棄場所の監視のような臨時の監視や、農作物の盗難監視や密猟監視のように期間が限定される場所での監視などが求められるようになっている。これらの監視用途に対して定置方式は不向きであり、搬送可能な低価格の監視カメラ装置が望まれる。
【０００３】
一方、搬送可能な監視カメラ装置としては、従来、支柱に固定された照明とカメラとを備え、これらをソーラーパネルによる発電を電源として作動させるように構成された装置が提案されている（例えば、特許文献１等参照。）。
【０００４】
この監視カメラ装置によれば、商用電源の引き込みが困難な山間部等の野外における任意の場所に工事不要で設置でき、ソーラーパネルへの太陽光の照射による発電を電源として、照明装置による照明やカメラによる動画の撮影等を行うことができる。
【先行技術文献】
【特許文献】
【０００５】
【特許文献１】特開２０１４−１７６１８３号公報
【考案の概要】
【考案が解決しようとする課題】
【０００６】
しかしながら、上述した従来の監視カメラ装置は、装置全体が大型であるため、取り扱いにくく、納品に伴う輸送コストも高くなるという問題がある。また、故障が発生した場合、修理のために装置全体を業者へ輸送する必要があり、さらに作業負担や輸送コストの負担が生じることになる。一方、ユーザ自身で故障部品のみを取り外して業者へ輸送することも考えられるが、一般ユーザには部品の取り外しや組み付けの作業難易度が高く、新たな故障の原因となることも懸念されるため、好ましくないと考えられる。
【０００７】
本考案は、工事不要で設置でき、作業性が良好で安価に運用可能な自立移動設置型監視カメラ装置を提供することを目的とする。
【課題を解決するための手段】
【０００８】
本考案に係る自立移動設置型監視カメラ装置は、構造体と、太陽光を受光して発電するソーラーパネルと、点灯条件を検知して点灯可能なセンサライトと、撮影及び録画可能な監視カメラと、前記ソーラーパネルの電力を充電して前記センサライト及び前記監視カメラへ電源を供給する蓄電池とを具備し、前記ソーラーパネル、前記センサライト、前記監視カメラ及び前記蓄電池を前記構造体に装着して一体化してなる装置ユニットと、設置面に載置される架台に支柱を立設してなる支柱架台ユニットと、を備え、前記装置ユニットは、前記構造体において前記支柱架台ユニットの前記支柱に着脱自在に支持されている。
【０００９】
この構成によれば、ソーラーパネル、センサライト、監視カメラ及び蓄電池を構造体に装着してなる装置ユニットが、構造体において支柱架台ユニットの支柱に着脱自在に支持されているので、設置場所での長期間の運用等でセンサライトや監視カメラ等に故障が発生した場合、装置ユニットごと支柱架台ユニットから取り外して修理に出すことができる。よって、装置全体を修理に出す場合よりも体格が小さく且つ軽量のため取り扱いが容易であり、さらに輸送コストの低減も図ることができる。また、センサライトや監視カメラ等の機器を個々に構造体から取り外す必要が無いため作業が容易であり、機器を誤って破損する等のトラブルも防止することができる。従って、工事不要で設置でき、作業性が良好で安価に運用可能な自立移動設置型監視カメラ装置を提供することができるという効果を奏する。
【００１０】
また、自立移動設置型監視カメラ装置は、前記構造体の下端部と前記支柱の上端部とに跨って配置されて前記構造体と前記支柱とを着脱自在に連結する連結部材を備える。
【００１１】
この構成によれば、連結部材が構造体の下端部と支柱の上端部とに跨って配置されることで、構造体と支柱とを簡単な構成で着脱自在に連結することができる。
【００１２】
また、自立移動設置型監視カメラ装置は、前記構造体は、上下方向に延びて下端に開口する構造体溝部を有し、前記支柱は、上下方向に延びて上端に開口する支柱溝部を有し、前記構造体と前記支柱とは、前記構造体溝部と前記支柱溝部とが連通するように位置決めされ、前記連結部材は、連結板と、前記連結板が前記構造体溝部内と前記支柱溝部内とに跨って挿入配置された状態で前記構造体と前記支柱とにそれぞれ固定する固定部材とを備える。
【００１３】
この構成によれば、構造体と支柱とは、構造体溝部内と支柱溝部内とに跨って挿入配置された連結板を介して互いに正確に位置決めされ、固定部材により確実に固定される。
【００１４】
また、自立移動設置型監視カメラ装置は、前記装置ユニットが、前記ソーラーパネルが前記構造体に対して着脱自在に装着される。
【００１５】
この構成によれば、故障発生頻度の低いソーラーパネルを、装置ユニットから取り外すことができるので、さらにコンパクトな状態で装置ユニットを修理に出すことができ、取り扱いが一層容易になると共に、輸送コストのさらなる低減を図ることができる。
【００１６】
また、自立移動設置型監視カメラ装置は、前記構造体が、所定の間隔を隔てて垂直に配置される一対の主フレームと、前記一対の主フレーム間で水平に架け渡される少なくとも一つの副フレームとを備えて構成され、前記一対の主フレームは、前記支柱架台ユニットの前記支柱に着脱自在に支持され、前記副フレームは、前記ソーラーパネル、前記センサライト、前記監視カメラ及び前記蓄電池が装着される。
【００１７】
この構成によれば、支柱架台ユニットの一対の支柱に対して着脱可能な一対の主フレームとは別に、少なくとも一つの副フレームが設けられて、ソーラーパネル、センサライト、監視カメラ及び蓄電池が装着されているので、より一層容易に着脱作業を行うことができる。
【００１８】
また、自立移動設置型監視カメラ装置は、前記装置ユニットが、前記センサライトの作動を可能とするライト点灯運用と、前記センサライトの作動を不可とするライト消灯運用とを切換えるための運用切換えスイッチを備える。
【００１９】
この構成によれば、運用切換えスイッチにより、装置ユニットをライト点灯運用に設定した場合は、蓄電池からの電源供給により点灯条件の成立を検知してセンサライトを点灯させることができる。一方、運用切換えスイッチにより、装置ユニットをライト消灯運用に設定した場合は、センサライトを常に消灯状態とすることで蓄電池の電力消費を抑制できると共に、蓄電池を監視カメラ専用の電源として使うことができる。
【００２０】
また、自立移動設置型監視カメラ装置は、前記監視カメラが、レンズ部を有するカメラ本体と、前記レンズ部を露出させつつ前記カメラ本体を内部に収容すると共に施錠可能なカメラケースと、を備え、前記運用切換えスイッチは、前記カメラケースの内部に配置される。
【００２１】
この構成によれば、運用切換えスイッチは、施錠可能なカメラケースの内部に配置されるので、カメラ本体の盗難を防止すると共に、関係者外の者が無断で運用切換えスイッチを操作することを防止できる。
【図面の簡単な説明】
【００２２】
【図１】本考案の実施形態に係る自立移動設置型監視カメラ装置の設置例を正面視にて示す全体正面図である。
【図２】実施形態に係る自立移動設置型監視カメラ装置の設置例を側面視にて示す全体側面図である。
【図３】装置ユニットの全体構成を示す正面図である。
【図４】装置ユニットの電気的構成を示すブロック図である。
【図５】装置ユニットを支柱架台ユニットから分離した状態を正面視にて示す分離正面図である。
【図６】装置ユニットを支柱架台ユニットから分離した状態を側面視にて示す分離側面図である。
【考案を実施するための形態】
【００２３】
以下、本考案の自立移動設置型監視カメラ装置を具体化した一実施形態について図面を参照しつつ説明する。
【００２４】
（１．自立移動設置型監視カメラ装置１の全体構成）
まず、本実施形態の自立移動設置型監視カメラ装置１（以下、単に「監視カメラ装置１」とも称する。）の全体構成について、図１〜図６を参照しつつ説明する。図１は監視カメラ装置１の設置例を正面視にて示す全体正面図であり、図２は同じく側面視にて示す全体側面図である。図３は装置ユニット１０の全体構成を示す正面図であり、図４は同じく電気的構成を示すブロック図である。図５は装置ユニット１０を支柱架台ユニット７０から分離した状態を正面視にて示す分離正面図であり、図６は同じく側面視にて示す分離側面図である。
【００２５】
監視カメラ装置１は、図１、図２に示すように、全体の概ね上半分を構成する装置ユニット１０と、同じく概ね下半分を構成する支柱架台ユニット７０とを備えて構成される。
【００２６】
装置ユニット１０は、図１〜図３に示すように、フレーム構造体２０と、ソーラーパネル３０と、センサライト４０と、監視カメラ５０と、蓄電池６０とを具備し、ソーラーパネル３０、センサライト４０、監視カメラ５０及び蓄電池６０をフレーム構造体２０に装着して一体化してなる。
【００２７】
フレーム構造体２０は、アルミニウム製の角材からなるフレーム材を複数組み合わせて矩形枠状に形成してなり、本考案の構造体を構成するものである。フレーム構造体２０は、一対の主フレーム２１，２１と、第１副フレーム２２と、第２副フレーム２３と、第３副フレーム２４とを備えて構成される。
【００２８】
一対の主フレーム２１，２１は、左右に４０ｃｍ程度の間隔を隔てて垂直に配置される２本のフレーム材である。左側の主フレーム２１の左側面、右側の主フレーム２１の右側面には、それぞれ上下方向に延びる２本のフレーム溝部２１ａが形成されている。尚、フレーム溝部２１ａが本考案の構造体溝部に相当する。第１副フレーム２２は、一対の主フレーム２１，２１の上部間で左右方向水平に架け渡されるフレーム材である。第２副フレーム２３は、一対の主フレーム２１，２１の中間高さ（本実施形態では下端から全高の１／３程度の高さ）で一対の主フレーム２１，２１間に左右方向水平に架け渡されるフレーム材である。第３副フレーム２４は、一対の主フレーム２１，２１の下部間で左右方向水平に架け渡されるフレーム材である。
【００２９】
ソーラーパネル３０は、パネル本体３１と、取付金具３２とを備えて構成される。パネル本体３１は、長方形板状を呈し、太陽光を受光して発電する公知の太陽電池パネルである。パネル本体３１は、先端にプラグを有するケーブル３３が延出されている。取付金具３２は、パネル本体３１の左右幅よりも僅かに長い水平部分と、水平部分の左右両端から垂直に折り曲げて立設された一対の垂直部分とを有して、正面視で上向きに開くコ字状を呈している。パネル本体３１は、取付金具３２の一対の垂直部分の間で回動自在に軸支され、日照方向に合わせて上下角度を調整可能となっている。取付金具３２の水平部分は、第１副フレーム２２上面に複数箇所で取り付けネジ３２ａを介して固定される。
【００３０】
ソーラーパネル３０は、パネル本体３１から延出されるケーブル３３のプラグを蓄電池６０（充電制御回路６１）側のケーブル６３のプラグから取り外し、さらに第１副フレーム２２上面に複数箇所で締結された各取り付けネジ３２ａ緩めることにより、取付金具３２を含む全体をフレーム構造体２０から取り外して分離することができる。
【００３１】
センサライト４０は、周囲が暗い時に人が接近した場合等の点灯条件を検知して点灯可能な公知のセンサ付き発光装置である。センサライト４０は、光源４１と、センサ部４２と、点灯制御回路４３と、筐体４４とを備えて構成される。
【００３２】
光源４１は、ＬＥＤ（発光ダイオード）の発光素子からなる。光源４１を構成する発光素子の周囲にはリフレクタ４１ｒが配置され、発光素子の光を反射して前方へ出射させる。
【００３３】
センサ部４２は、点灯条件を検知するためのセンサであって、周囲の明るさを検知する明るさセンサと、人の接近を検知する人感センサとを備えて構成される。人感センサとしては、人体から放射される熱を感知する方式のセンサを用いることができる。センサ部４２は、筐体４４の下面に取り付けられ、手で掴んで向きを調整可能である。
【００３４】
点灯制御回路４３は、センサ部４２の明るさセンサによって周囲の明るさが所定レベル以下と検知され且つ人感センサによって人の接近が検知された場合に、点灯条件が成立したとして光源４１を点灯させる制御を行う。また、点灯制御回路４３は、光源４１の点灯時の明るさを制御する明るさ制御、光源４１の点灯時間を制御する点灯時間制御、光源４１の点灯開始後にセンサ部４２により点灯条件の成立を検知する点灯開始後検知制御を行う。
【００３５】
筐体４４は、光源４１を正面側中央に支持すると共に、その周囲にリフレクタ４１ｒが配置されている。また、筐体４４は、点灯制御回路４３を内部に収容する。
【００３６】
運用切換えスイッチ４５は、センサライト４０の運用モードを、蓄電池６０からセンサライト４０への電源供給を行うライト点灯運用と、蓄電池６０からセンサライト４０への電源供給が停止されるライト消灯運用とで切換えるためのスイッチである。運用切換えスイッチ４５は、施錠可能なカメラケース５２内でカメラ本体５１の下方に配置される。作業者は、カメラケース５２を解錠して扉を開放した状態で、運用切換えスイッチ４５を指で押下することにより、ライト点灯運用とライト消灯運用とで運用の切換えを行うことができる。
【００３７】
監視カメラ５０は、基本機能として、動画及び静止画の撮影及び録画を行う装置である。監視カメラ５０は、カメラ本体５１と、カメラ本体５１を収容するカメラケース５２とを備えて構成される。
【００３８】
カメラ本体５１は、動画及び静止画の撮影及び録画が可能なカメラであって、撮影された映像内で物体の動き（モーション）を瞬時に検出して自動で録画を開始することができる公知の自動撮影録画装置である。カメラ本体５１は、正面にレンズ部５１ａを備えている。カメラ本体５１は、録画データをＳＤメモリカードやマイクロＳＤメモリカード等の不揮発性記憶媒体に記憶する。カメラ本体５１は、例えば、モーション検出速度０．３秒、画素数１０８０Ｐのフルハイビジョンであり、好ましくは、夜間等の周囲が所定以下の暗さになった時に赤外線撮影を行う機能を備える。さらに、カメラ本体５１は、録画データをスマートフォン等の端末装置へ無線送信可能な通信機能を備えるものとしてもよい。
【００３９】
カメラケース５２は、前面が開口する箱部５２ａと、箱部５２ａの前面右端のヒンジ５２ｃによって回動自在に軸支されて前面を開閉する扉部５２ｂとを備えて構成される。カメラ本体５１は、レンズ部５１ａを正面側に向けて箱部５２ａ内に収容配置される。扉部５２ｂの中央部分は開口しており、レンズ部５１ａが外部に露出している。箱部５２ａと扉部５２ｂとの間には、ヒンジ５２ｃとは反対側に施錠機構５２ｄが設けられている。扉部５２ｂを閉鎖位置まで回動し、鍵（図示せず）を用いて施錠機構５２ｄを施錠状態にすることで、作業者以外がカメラケース５２内へアクセスすることを確実に防止できる。一方、作業者が鍵を用いて施錠機構５２ｄを解錠状態とした場合、扉部５２ｂを開放してカメラ本体５１から録画データが記録されたＳＤカードを取り出したり、運用切換えスイッチ４５を押下したりする等の必要な作業を行うことができる。
【００４０】
蓄電池６０は、ソーラーパネル３０が発電した電力を充電してセンサライト４０及び監視カメラ５０へ電源を供給する蓄電池である。蓄電池６０は、例えば、公知のリチウムイオン電池によって構成される。蓄電池６０は、センサライト４０の筐体４４内に収容されている。蓄電池６０の入力側は、充電制御回路６１に電気的に接続され、充電制御回路６１はソーラーパネル３０のパネル本体３１に電気的に接続されている。ソーラーパネル３０の太陽光の受光によって発電された電力は、充電制御回路６１の充電制御により蓄電池６０に充電される。
【００４１】
蓄電池６０の出力側にはケーブル６２が延出されてカメラケース５２内に引き込まれ、ケーブル６２の１本がカメラケース５２内に設けられた運用切換えスイッチ４５を経由して筐体４４内に戻ってセンサライト４０各部へ電源を供給し、ケーブル６２の他の１本が運用切換えスイッチ４５を経由することなくカメラ本体５１に電源を供給する。
【００４２】
支柱架台ユニット７０は、図１、図２に示すように、設置面に載置される架台７１と、架台７１に立設される一対の支柱７２，７２と、威嚇看板７３とを備えて構成される。架台７１は、ステンレス鋼等の金属製の角材３本を用いて平面視Ｈ字形状に構成したものであって、前後に延びる左右一対の第１台部材７１ａ，７１ａと、一対の第１台部材７１ａ，７１ａの前後方向中央部間に左右に架け渡される第２台部材７１ｂと、を備えている。尚、本実施形態では、フレーム構造体２０及び支柱架台ユニット７０の材質として、錆びにくいアルミニウム材やステンレス材を使用して塗装を省くことで、コスト低減が図られている。
【００４３】
各第１台部材７１ａは、下面の前後２箇所に高さ調整可能な調整脚７１ｃがそれぞれ取り付けられており、監視カメラ装置１が設置面に設置された際の前後左右の傾きを調整可能となっている。第２台部材７１ｂの上面には、一対の支柱７２，７２が左右方向に間隔を隔てて立設される。
【００４４】
一対の支柱７２，７２は、一対の主フレーム２１，２１と断面形状及びサイズが同一のアルミニウム製の角材からなり、左右の立設間隔も一対の主フレーム２１，２１と同一（４０ｃｍ程度）である。一対の支柱７２，７２は、その上端にフレーム構造体２０の一対の主フレーム２１，２１の下端が連結部材７４，７４を介して着脱自在に連結されることにより、装置ユニット１０を支持する。
【００４５】
より具体的には、支柱架台ユニット７０は、一対の主フレーム２１，２１の下端部と一対の支柱７２，７２の上端部とに跨って配置されて一対の主フレーム２１，２１と支柱７２，７２とを着脱自在に連結する連結部材７４，７４を備える。連結部材７４は、アルミニウム製の細長い板状の連結板７４ａと、固定部材としての２本の固定ネジ７４ｂ，７４ｂとから構成される。
【００４６】
主フレーム２１の側面には、上下方向に延びて下端に開口するフレーム溝部２１ａ，２１ａが形成されている。また、支柱７２の側面には、上下方向に延びて上端に開口する支柱溝部７２ａ，７２ａが形成されている。一対の主フレーム２１，２１と一対の支柱７２，７２とは、各々のフレーム溝部２１ａと支柱溝部７２ａ同士が連通するように位置決めされる。連結板７４ａ，７４ａは、一対の主フレーム２１，２１下端部のフレーム溝部２１ａ，２１ａ内と支柱７２，７２上端部の支柱溝部７２ａ，７２ａ内とに跨って挿入配置されて、一対の主フレーム２１，２１と一対の支柱７２，７２とにそれぞれ固定ネジ７４ｂ，７４ｂの締結によって着脱自在に固定される。フレーム溝部２１ａ及び支柱溝部７２ａは、溝開口側が連結板７４ａよりも幅狭であり、溝底部側が連結板７４ａよりも幅広となっている。従って、連結板７４ａは、フレーム溝部２１ａ及び支柱溝部７２ａに挿入されることで、主フレーム２１及び支柱７２に対して前後方向（幅方向）だけでなく、左右方向にも規制されている。
【００４７】
威嚇看板７３は、不審者を威嚇するための合成樹脂製の長方形状の看板であって、一対の支柱７２，７２の正面にネジ止めにより取り付けられる。威嚇看板７３には、例えば、「監視カメラ作動中」のような警告文が表示されている。さらに、威嚇看板７３の特注仕様として、監視カメラ装置１の設置元の名称等を表示するようにしてもよい。
【００４８】
（２．監視カメラ装置１の電気的構成）
次に、監視カメラ装置１の電気的構成の概略について、図４を中心に参照しつつ説明する。ソーラーパネル３０（具体的にはパネル本体３１）は、センサライト４０に設けられる充電制御回路６１の入力側にケーブル３３及びケーブル６３を介して電気的に接続され、充電制御回路６１の出力側は、蓄電池６０の入力側に電気的に接続されている。ソーラーパネル３０で発電された電力は、充電制御回路６１で充電制御が行われて蓄電池６０に充電される。
【００４９】
蓄電池６０の出力側のケーブル６２の１本は、運用切換えスイッチ４５を介してセンサライト４０に電気的に接続されている。運用切換えスイッチ４５がオン（すなわち、ライト点灯運用）の場合、蓄電池６０からセンサライト４０への電源供給が行われる。一方、運用切換えスイッチ４５がオフ（すなわち、ライト消灯運用）の場合、蓄電池６０からセンサライト４０への電源供給は行われない。
【００５０】
蓄電池６０の出力側のケーブル６２の他の１本は、運用切換えスイッチ４５を介することなく監視カメラ５０に電気的に接続され、監視カメラ５０へ常に電源供給が行われる。
【００５１】
（３．監視カメラ装置１の設置手順及び各部の動作）
次に、監視カメラ装置１の設置手順及び各部の動作について説明する。監視カメラ装置１は、防犯のための監視が必要な場所、例えば、不法投棄の恐れのある山林、農作物の盗難防止が必要な畑や果樹園、歴史的建造物等の文化財周辺などに設置される。
【００５２】
具体的には、二人の作業者で監視カメラ装置１を持ち上げ、監視したい方向へ監視カメラ装置１の正面を向けて、架台７１側を下にして道路や地面等の設置面に設置する。設置面に傾斜や凹凸がある場合、各調整脚７１ｃの高さを変化させて装置全体の傾きを調整する。
【００５３】
続いて、センサライト４０のセンサ部４２を手で掴んで動かして方向調整を行う。また、ソーラーパネル３０において、取付金具３２に回動自在に軸支されたパネル本体３１を上下に回動させて太陽光の当たる方向に傾ける。最後に、監視カメラ装置１が倒れないように、架台７１を設置面に固定する。設置面が土の地面である場合、各第１台部材７１ａの前後２箇所に設けられた固定用穴７１ｄに鉄杭（図示せず）を上から差し込み、地面に打ち込んで固定を行う。或は、設置面がコンクリートやアスファルトの路面のような鉄杭の打ち込みができない場所では、各第１台部材７１ａや第２台部材７１ｂの上に数袋〜十数袋の土嚢を載せて固定を行う。監視カメラ装置１を設置した状態で、設置面を基準とする装置各部の高さは、ソーラーパネル３０（中心）が２００ｃｍ程度、センサライト４０（中心）が１７０ｃｍ程度、監視カメラ５０（レンズ部５１ａ）が１５０ｃｍ程度である。
【００５４】
監視カメラ装置１の設置が完了すると、次にセンサライト４０の運用設定作業を行う。通常の使用条件では、運用切換えスイッチ４５をオンにし、ライト点灯運用に設定する。ライト点灯運用では、センサライト４０の作動が可能とされる。
【００５５】
一方、次のような使用条件の場合は、運用切換えスイッチ４５をオフにし、ライト消灯運用に設定する。例えば、人や車の交通量が多い場所で使用する場合、不法投棄の証拠録画を撮りたい場合、陽が当たらない又は日影が多い場所で１ヶ月間以上使用する場合などである。ライト消灯運用では、センサライト４０の作動が不可とされる。
【００５６】
次に、設置及び運用設定の完了した監視カメラ装置１における各部の動作について説明する。ソーラーパネル３０は、取付金具３２を介して傾斜角度が調整されており、太陽光の受光により効率の良い発電を行う。蓄電池６０は、ソーラーパネル３０で発電された電力を充電する。監視カメラ５０は、蓄電池６０の電源供給により映像の撮影動作を常時実行する。監視カメラ５０は、映像内に動体が検出された場合、すなわち現在の映像データが直前の映像データから変化した場合、所定時間の映像が録画（すなわち、録画データがＳＤメモリカード等の不揮発性記憶媒体に保存）される。
【００５７】
ここで、ライト点灯運用（運用切換えスイッチ４５がオン）の場合、センサライト４０は、蓄電池６０から電源供給されている。そして、センサライト４０においてセンサ部４２が常時作動し、点灯条件の成立が検知されると、点灯制御回路４３により光源（ＬＥＤ）４１を点灯させて、侵入者に対する光による威嚇が行われる。一方、ライト消灯運用（（運用切換えスイッチ４５がオフ）の場合、センサライト４０は、蓄電池６０から電源供給されず、作動しない。
【００５８】
（４．装置ユニット１０の取り外し及び組立手順）
監視カメラ装置１は、設置後の長期間にわたる運用に伴う劣化やその他の原因により、装置ユニット１０に搭載された電気系統の各部に故障が発生し、修理が必要となることがある。以下、装置ユニット１０について、修理業者へ輸送するために、支柱架台ユニット７０から取り外す作業の手順について、図５、図６を中心に参照しつつ説明する。尚、ソーラーパネル３０は、故障の発生頻度が低いため、修理に出さないものとする。
【００５９】
最初にソーラーパネル３０を装置ユニット１０のフレーム構造体２０から取り外す作業を行う。具体的には、まず、パネル本体３１から延出されるケーブル３３先端のプラグを、蓄電池６０から延出されるケーブル６３先端のプラグから引き抜いてケーブル同士の接続を解除する。続いて、第１副フレーム２２上面に複数箇所で締結された各取り付けネジ３２ａを緩めることにより、パネル本体３１と取付金具３２とを含むソーラーパネル３０全体がフレーム構造体２０から取り外される。
【００６０】
次に、装置ユニット１０を支柱架台ユニット７０から取り外す作業を行う。具体的には、まず、連結部材７４上側の各固定ネジ７４ｂを緩めて取り外す。すなわち、主フレーム２１側面に形成された２本のフレーム溝部２１ａにそれぞれ挿入された連結板７４ａの上部において、主フレーム２１に締結された上側の固定ネジ７４ｂを緩めて取り外す。続いて、装置ユニット１０を持ち上げて、支柱架台ユニット７０側に下部が固定された連結板７４ａから上方へ引き抜くことにより、装置ユニット１０が支柱架台ユニット７０から取り外される。
【００６１】
以上の手順で支柱架台ユニット７０から装置ユニット１０を取り外した後、装置ユニット１０を輸送用箱（図示せず）に収容して修理業者へ発送する。取り外したソーラーパネル３０や固定ネジ７４ｂは、修理完了まで保管しておく。
【００６２】
次に、修理業者から返送された修理済みの装置ユニット１０を支柱架台ユニット７０に取り付ける手順について説明する。まず、装置ユニット１０を、第３副フレーム２４側を下に向けて持ち上げる。続いて、主フレーム２１側面の各フレーム溝部２１ａに、支柱７２上部に固定された各連結板７４ａを挿入させながら、装置ユニット１０を徐々に下げて支柱架台ユニット７０に位置合わせする。そして、保管してあった各固定ネジ７４ｂを各連結板７４ａ上部の挿通穴に差し込んで主フレーム２１に対して締結固定する。
【００６３】
次に、ソーラーパネル３０をフレーム構造体２０の真上に持ち上げて、取付金具３２を第１副フレーム２２上面に位置決めし、各取り付けネジ３２ａを締結固定する。最後に、パネル本体３１から延出されるケーブル３３のプラグを、蓄電池６０側のケーブル６３のプラグに差し込んでケーブル同士を接続する。以上で、装置ユニット１０の支柱架台ユニット７０への取付けが完了する。
【００６４】
（５．まとめ）
（５．１）本実施形態に係る監視カメラ装置１は、フレーム構造体２０と、太陽光を受光して発電するソーラーパネル３０と、点灯条件を検知して点灯可能なセンサライト４０と、撮影及び録画可能な監視カメラ５０と、ソーラーパネル３０の電力を充電してセンサライト４０及び監視カメラ５０へ電源を供給する蓄電池６０とを具備し、ソーラーパネル３０、センサライト４０、監視カメラ５０及び蓄電池６０をフレーム構造体２０に装着して一体化してなる装置ユニット１０と、設置面に載置される架台７１に一対の支柱７２，７２を立設してなる支柱架台ユニット７０と、を備え、装置ユニット１０は、フレーム構造体２０（主フレーム２１，２１）において支柱架台ユニット７０の一対の支柱７２，７２に着脱自在に支持されている。
【００６５】
この構成によれば、ソーラーパネル３０、センサライト４０、監視カメラ５０及び蓄電池６０をフレーム構造体２０に装着してなる装置ユニット１０が、主フレーム２１，２１において支柱架台ユニット７０の一対の支柱７２，７２に着脱自在に支持されているので、設置場所での長期間の運用等でセンサライト４０や監視カメラ５０等の機器に故障が発生した場合、装置ユニット１０ごと支柱架台ユニット７０から取り外して修理に出すことができる。よって、装置全体を修理に出す場合よりも体格が小さく且つ軽量のため取り扱いが容易であり、さらに輸送コストの低減も図ることができる。また、監視カメラ５０等の各機器を個々にフレーム構造体２０から取り外す必要が無いため作業が容易であり、機器を誤って破損する等のトラブルも防止することができる。従って、工事不要で設置でき、作業性が良好で安価な運用が可能になるという効果を奏する。
【００６６】
（５．２）監視カメラ装置１は、フレーム構造体２０（主フレーム２１，２１）の下端部と一対の支柱７２，７２の上端部とに跨って配置されてフレーム構造体２０と一対の支柱７２，７２とを着脱自在に連結する連結部材７４を備える。
【００６７】
この構成によれば、連結部材７４がフレーム構造体２０（主フレーム２１，２１）の下端部と一対の支柱７２，７２の上端部とに跨って配置されることで、フレーム構造体２０と一対の支柱７２，７２とを、簡単な構成で着脱自在に連結することができる。
【００６８】
（５．３）各主フレーム２１は、上下方向に延びて下端に開口するフレーム溝部２１ａを有し、各支柱７２は、上下方向に延びて上端に開口する支柱溝部７２ａを有し、各主フレーム２１と各支柱７２とは、各フレーム溝部２１ａと各支柱溝部７２ａとが連通するように位置決めされ、連結部材７４は、連結板７４ａと、連結板７４ａがフレーム溝部２１ａ内と支柱溝部７２ａ内とに跨って挿入配置された状態で主フレーム２１と支柱７２とにそれぞれ固定する固定部材としての固定ネジ７４ｂとを備える。
【００６９】
この構成によれば、主フレーム２１と支柱７２とは、フレーム溝部２１ａ内と支柱溝部７２ａ内とに跨って挿入配置された連結板７４ａを介して互いに正確に位置決めされ、固定ネジ７４ｂにより確実に固定される。
【００７０】
（５．４）装置ユニット１０は、ソーラーパネル３０がフレーム構造体２０（第１副フレーム２２）に対して着脱自在に装着される。
【００７１】
この構成によれば、故障発生頻度の低いソーラーパネル３０を、装置ユニット１０から取り外すことができるので、さらにコンパクトな状態で装置ユニット１０を修理に出すことができ、取り扱いが一層容易になると共に、輸送コストのさらなる低減を図ることができる。
【００７２】
（５．５）フレーム構造体２０は、所定の間隔を隔てて垂直に配置される一対の主フレーム２１，２１と、一対の主フレーム２１，２１間で水平に架け渡される第１〜第３副フレーム２２〜２４とを備えて構成され、一対の主フレーム２１，２１は、支柱架台ユニット７０の一対の支柱７２，７２に着脱自在に支持され、第１〜第３副フレーム２２〜２４は、ソーラーパネル３０、センサライト４０、監視カメラ５０及び蓄電池６０が装着される。
【００７３】
この構成によれば、支柱架台ユニット７０の一対の支柱７２，７２に対して着脱可能な一対の主フレーム２１，２１とは別に、第１〜第３副フレーム２２〜２４が設けられて、ソーラーパネル３０、センサライト４０、監視カメラ５０及び蓄電池６０が装着されているので、より一層容易に着脱作業を行うことができる。
【００７４】
（５．６）装置ユニット１０は、センサライト４０の作動を可能とするライト点灯運用と、センサライト４０の作動を不可とするライト消灯運用とを切換えるための運用切換えスイッチ４５を備える。
【００７５】
この構成によれば、運用切換えスイッチ４５により、装置ユニット１０をライト点灯運用に設定した場合は、蓄電池６０からの電源供給により点灯条件の成立を検知してセンサライト４０を点灯させることができる。一方、運用切換えスイッチ４５により、装置ユニット１０をライト消灯運用に設定した場合は、センサライト４０を常に消灯状態とすることで蓄電池６０の電力消費を抑制できると共に、蓄電池６０を監視カメラ５０専用の電源として使うことができる。
【００７６】
（５．７）監視カメラ５０は、レンズ部５１ａを有するカメラ本体５１と、レンズ部５１ａを露出させつつカメラ本体５１を内部に収容すると共に施錠開錠可能なカメラケース５２とを備え、運用切換えスイッチ４５は、カメラケース５２の内部に配置される。
【００７７】
この構成によれば、運用切換えスイッチ４５は、施錠可能なカメラケース５２の内部に配置されるので、カメラ本体５１の盗難を防止すると共に、関係者外の者が無断で運用切換えスイッチ４５を操作することを防止できる。
【００７８】
（６．変形例）
本考案は、上述した実施の形態に限定されるものではなく、本考案の主旨を逸脱しない範囲で種々に変更を施すことが可能である。例えば、上記実施形態では、本考案の構造体を、複数のフレーム材からなるフレーム構造体２０により構成した例を示したが、これには限られない。本考案の構造体を１本の柱状のフレーム材により構成し、これにセンサライト４０や監視カメラ５０を装着して装置ユニット１０としてもよい。この場合、例えば、支柱架台ユニット７０に１本の支柱７２を立設して、装置ユニット１０を支柱７２に着脱自在に支持される構成とすればよい。
【００７９】
また、上述した実施形態では、ソーラーパネル３０をフレーム構造体２０から取り外した状態で、装置ユニット１０を修理に出す例を示したが、ソーラーパネル３０がフレーム構造体２０に装着された状態で装置ユニット１０を修理に出すようにしてもよい。この場合、修理に出す際の装置ユニット１０の体格が上記実施形態よりも大きくなる点で輸送上はデメリットとなるが、修理業者がソーラーパネル３０を含めた装置ユニット１０全体の修理・点検等を行える点でメリットがある。
【００８０】
また、上述した実施形態では、連結板７４ａの上側の固定ネジ７４ｂを緩めて、装置ユニット１０を支柱架台ユニット７０から取り外す例を示したが、連結板７４ａの下側の固定ネジ７４ｂを緩めて装置ユニット１０の取り外しを行ってもよいし、上側と下側の両方の固定ネジ７４ｂを緩めて装置ユニット１０の取り外しを行ってもよい。
【符号の説明】
【００８１】
１    自立移動設置型監視カメラ装置
１０    装置ユニット
２０    フレーム構造体（構造体）
２１    主フレーム
２１ａ  フレーム溝部（構造体溝部）
２２    第１副フレーム（副フレーム）
２３    第２副フレーム（副フレーム）
２４    第３副フレーム（副フレーム）
３０    ソーラーパネル
４０    センサライト
４５    運用切換えスイッチ
５０    監視カメラ
５１ａ  レンズ部
５２    カメラケース
６０    蓄電池
７０    支柱架台ユニット
７１    架台
７２    支柱
７２ａ  支柱溝部
７４    連結部材
７４ａ  連結板
７４ｂ  固定ネジ（固定部材）
【図１】
0003228355.tif 000003
【図２】
0003228355.tif 000004
【図３】
0003228355.tif 000005
【図４】
0003228355.tif 000006
【図５】
0003228355.tif 000007
【図６】
0003228355.tif 000008